(57)【要約】【課題】  購入対象であるサブコンテンツの映像や音声の組み合わせを明確にしてユーザが意図した適切な購入動作を実行させるようにする。【解決手段】  提供する番組及び当該番組に対して付加される複数種類の課金対象となるサブコンテンツの映像及び音声を示す選択項目が含まれた有料ＥＳ選択画面４０を表示し、当該有料ＥＳ選択画面４０に表示された複数種類の課金対象となるサブコンテンツの映像及び音声のうち、切り離すことの出来ない一体に組み合わされた映像及び音声に対してその組み合わせの関連関係を認識し、当該関連関係を示す関連関係アイコン６１、６２、６３をそれぞれの選択項目に対して付加することにより、当該関連関係アイコン６１、６２、６３を介して一体に組み合わされた関連関係を視覚的に明示してユーザに認識させることができ、かくしてサブコンテンツに対してユーザが意図した適切な購入動作を実行させることができる。【選択図】        図５
2005072899.tif 000002
【特許請求の範囲】
【請求項１】
提供する番組及び当該番組に対して付加される複数種類の課金対象となる映像や音声を示す選択項目が含まれた番組購入表表示画面を表示する表示手段と、
上記番組購入表表示画面に表示された上記複数種類の課金対象となる映像や音声のうち、一体に組み合わされた映像や音声に対してその組み合わせの関連関係を認識し、当該関連関係を示す関連関係アイコンを上記一体に組み合わされた映像及び音声の選択項目に対してそれぞれ付加するアイコン付加手段と
を具えることを特徴とする番組表表示装置。
【請求項２】
上記制御手段は、上記一体に組み合わされた映像や音声の選択項目が選択された場合、上記関連関係アイコンと共に課金金額を上記番組購入表表示画面に表示する
ことを特徴とする請求項１に記載の番組表表示装置。
【請求項３】
上記制御手段は、上記一体に組み合わされた映像や音声の選択項目が選択された場合に選択済みアイコンを上記選択項目に対して付加し、当該選択項目を購入対象として確定した場合に上記選択済みアイコンを購入済みアイコンに代えて付加する
ことを特徴とする請求項１に記載の番組表表示装置。
【請求項４】
提供する番組及び当該番組に対して付加される複数種類の課金対象となる映像や音声を示す選択項目が含まれた番組購入表表示画面を表示する表示ステップと、
上記表示ステップで上記番組購入表表示画面に表示された上記複数種類の課金対象となる映像や音声のうち、一体に組み合わされた映像や音声に対してその組み合わせの関連関係を認識し、当該関連関係を示す関連関係アイコンを上記一体に組み合わされた映像や音声の選択項目に対してそれぞれ付加するアイコン付加ステップと
を具えることを特徴とする番組表表示方法。
【請求項５】
放送番組を受信する受信装置に対して、
提供する番組及び当該番組に対して付加される複数種類の課金対象となる映像や音声を示す選択項目が含まれた番組購入表表示画面を表示する表示ステップと、
上記表示ステップで上記番組購入表表示画面に表示された上記複数種類の課金対象となる映像や音声のうち、一体に組み合わされた映像や音声に対してその組み合わせの関連関係を認識し、当該関連関係を示す関連関係アイコンを上記一体に組み合わされた映像や音声の選択項目に対してそれぞれ付加するアイコン付加ステップと
を実行させるための番組表表示プログラム。
【発明の詳細な説明】
【技術分野】
【０００１】
本発明は、番組表表示装置に関し、例えば衛星放送受信装置であるＩＲＤ(Integrated Receiver/Decoder)に適用して好適なものである。
【背景技術】
【０００２】
従来、ＩＲＤは放送衛星(ＢＳ：Broadcasting Satellite)や通信衛星(ＣＳ：Communication Satellite )等の人口衛星を介して衛星放送を受信し、ＥＰＧ(Electric Program Guide)を介して多数のチャンネルからなる衛星放送番組をユーザに提供するようになされている（例えば、特許文献１参照）。
【０００３】
ところで衛星放送のサービスでは、メインの衛星放送番組に加えてサブコンテンツとして付加される有料の映像や音声を複数種類提供し得るようになされている。その際ＩＲＤは、メインの衛星放送番組と当該衛星放送番組に付加されるサブコンテンツである映像や音声をユーザが自由に選択して購入するための番組購入表表示画面をモニタに表示し、当該番組購入表表示画面を介してユーザにより選択されたサブコンテンツの映像や音声をメインの衛星放送番組と共に提供するようになされている。
【特許文献１】特開２００２−１６８５４公報
【発明の開示】
【発明が解決しようとする課題】
【０００４】
ところでかかる構成のＩＲＤにおいては、番組購入表表示画面を介してユーザにサブコンテンツの映像や音声を選択して購入してもらう際、購入対象であるサブコンテンツの映像や音声の中には当該映像と音声とが一体に組み合わされた形で提供するようになされたものが存在する。
【０００５】
しかしながら番組購入表表示画面で提示されるサブコンテンツの映像や音声については、映像と音声とが一体に組み合わされた形で提供するものであっても、組み合わされた形で提供するものであることが明示されておらず、例えばユーザが実際にサブコンテンツの映像を一つ購入したつもりであっても、その後に当該映像と一体に組み合わされた音声が付加されていたことを知り、結果的に当該映像と音声とを一体として購入していたことに気付くという事態が生じていた。
【０００６】
このようにＩＲＤは、番組購入表表示画面を介して提供するサブコンテンツの映像と音声との関連関係を明確に提示していないため、ユーザに意図していない不適当な購入動作をさせてしまうという問題があった。
【０００７】
本発明は以上の点を考慮してなされたもので、購入対象となる映像と音声との関連関係を明確に提示することによりユーザが意図した適切な購入動作を実行させ得る番組表表示装置を提案しようとするものである。
【課題を解決するための手段】
【０００８】
かかる課題を解決するため本発明においては、提供する番組及び当該番組に対して付加される複数種類の課金対象となる映像や音声を示す選択項目が含まれた番組購入表表示画面を表示する表示手段と、番組購入表表示画面に表示された複数種類の課金対象となる映像や音声のうち、一体に組み合わされた映像や音声に対してその組み合わせの関連関係を認識し、当該関連関係を示す関連関係アイコンを一体に組み合わされた映像や音声の選択項目に対してそれぞれ付加するアイコン付加手段とを設けるようにする。
【０００９】
これにより、映像や音声の選択項目に付加されて表示されている関連関係アイコンを介してユーザに当該映像と音声とが一体に組み合わされた形で購入するべきものであることを視覚的にかつ直感的に認識させることができるので、ユーザが想定していない映像や音声までも結果的に購入させてしまうという不適切な購入動作を未然に防止することができる。
【００１０】
また本発明においては、提供する番組及び当該番組に対して付加される複数種類の課金対象となる映像や音声を示す選択項目が含まれた番組購入表表示画面を表示する表示ステップと、当該表示ステップで上記番組購入表表示画面に表示された上記複数種類の課金対象となる映像や音声のうち、一体に組み合わされた映像や音声に対してその組み合わせの関連関係を認識し、当該関連関係を示す関連関係アイコンを一体に組み合わされた映像や音声の選択項目に対してそれぞれ付加するアイコン付加ステップとを設けるようにする。
【００１１】
これにより、映像や音声の選択項目に付加されて表示されている関連関係アイコンを介してユーザに当該映像や音声が一体に組み合わされた形で購入するべきものであることを視覚的にかつ直感的に認識させることができるので、ユーザが想定していない映像や音声までも結果的に購入させてしまうという不適切な購入動作を未然に防止することができる。
【００１２】
さらに本発明においては、放送番組を受信する受信装置に対して、提供する番組及び当該番組に対して付加される複数種類の課金対象となる映像や音声を示す選択項目が含まれた番組購入表表示画面を表示する表示ステップと、当該表示ステップで番組購入表表示画面に表示された複数種類の課金対象となる映像や音声のうち、一体に組み合わされた映像や音声に対してその組み合わせの関連関係を認識し、当該関連関係を示す関連関係アイコンを一体に組み合わされた映像や音声の選択項目に対してそれぞれ付加するアイコン付加ステップとを番組表表示プログラムによって実行させるようにする。
【００１３】
これにより、映像や音声の選択項目に付加されて表示されている関連関係アイコンを介してユーザに当該映像や音声が一体に組み合わされた形で購入するべきものであることを視覚的にかつ直感的に認識させることができるので、ユーザが想定していない映像や音声までも結果的に購入させてしまうという不適切な購入動作を未然に防止することができる。
【発明の効果】
【００１４】
上述のように本発明によれば、映像や音声の選択項目に付加されて表示されている関連関係アイコンを介してユーザに当該映像や音声が一体に組み合わされた形で購入するべきものであることを視覚的にかつ直感的に認識させることができるので、ユーザが想定していない映像や音声までも結果的に購入させてしまうという不適切な購入動作を未然に防止することができ、かくしてユーザが意図した適切な購入動作を実行させ得る番組表表示装置、番組表表示方法及び番組表表示プログラムを実現することができる。
【発明を実施するための最良の形態】
【００１５】
以下、図面について、本発明の一実施の形態を詳述する。
【００１６】
（１）衛星放送受信システムの全体構成
図１において、１は全体として衛星放送受信システムを示し、コンテンツ供給源２から伝送された番組の放送波を放送衛星又は通信衛星等の人口衛星３を介して中継し、当該中継された放送波をＩＲＤ５のパラボラアンテナ４を介して受信するようになされている。
【００１７】
ＩＲＤ５は、パラボラアンテナ４を介して受信した受信信号のうちリモートコントローラ（以下、これをリモコンと呼ぶ）６を介して選局されたチャンネルの番組を復調処理し、当該番組に係る映像及び音声をモニタ装置７から出力するようになされている。
【００１８】
（２）ＩＲＤの回路構成
図２に示すようにＩＲＤ５は、ＲＯＭ(Read Only Memory)及びＲＡＭ(Random Access Memory)を有するＣＰＵ構成でなる制御部１８によって全体を統括制御するようになされており、リモコン６からリモコン受光部１９を介して受信したリモコン信号Ｓ２に応じたチャンネル選局処理等を実行するようになされている。
【００１９】
実際上ＩＲＤ５は、パラボラアンテナ４で人口衛星３から受信した受信データストリームＤ１をフロントエンド部１１に送出すると共に、リモコン受光部１９を介してリモコン６から受信したチャンネル選局信号Ｓ２を制御部１８を介してフロントエンド部１１に送出する。
【００２０】
フロントエンド部１１は、受信データストリームＤ１のうちチャンネル選局信号Ｓ２に応じたチャンネルの受信データストリームＤ２だけを抽出してデマルチプレクサ１２へ送出する。
【００２１】
デマルチプレクサ１２は、受信データストリームＤ２を複数のＴＳ(Transport Stream)パケットに分割し、そのうち映像データ部分からなる複数の映像パケットデータＤ３をＭＰＥＧ２ビデオデコーダ１３へ順次送出すると共に、音声データ部分からなる複数の音声パケットデータＤ４をＭＰＥＧオーディオデコーダ１４へ順次送出する。
【００２２】
ＭＰＥＧ２ビデオデコーダ１３は、映像データ部分からなる複数の映像パケットデータＤ３をデコードすることにより圧縮符号化前の映像データＤ５に変換し、これをＮＴＳＣ(National Television System Committee)変換部１５へ送出する。ＮＴＳＣ変換部１５は、映像データＤ５をビデオ信号Ｓ６に変換し、これをモニタ装置７へ出力することにより番組映像として表示する。
【００２３】
ＭＰＥＧオーディオデコーダ１４は、音声データ部分からなる複数の音声パケットデータＤ４をデコードすることにより圧縮符号化前の音声データＤ７に変換し、これをディジタルアナログ変換器１６を介してアナログ音声信号Ｓ８に変換した後、モニタ装置７のスピーカ（図示せず）から番組音声として出力する。
【００２４】
ところでＩＲＤ５は、人口衛星３からの放送波に電子番組ガイドであるＥＰＧ情報が多重化されて提供されている場合、フロントエンド部１１及びデマルチプレクサ１２を介して受信データストリームＤ１から当該ＥＰＧ情報を抽出し、ＭＰＥＧ２ビデオデコーダ１３及びＮＴＳＣ変換部１５を介してＥＰＧ情報に基づくＥＰＧ画面としてモニタ装置７に表示するようになされており、これにより当該ＥＰＧ画面の中からユーザ所望の番組を選択させるようになされている。
【００２５】
（３）サブコンテンツの番組購入処理手順
続いて、ＩＲＤ５におけるサブコンテンツの番組購入処理手順について図３のフローチャートを用いて説明する。ＩＲＤ５の制御部１８は、ルーチンＲＴ１の開始ステップから入って次のステップＳＰ１へ移る。
【００２６】
ステップＳＰ１において制御部１８は、リモコン６からのリモコン信号Ｓ２に応じた衛星放送のメイン番組を選択し、次のステップＳＰ２へ移る。
【００２７】
ステップＳＰ２において制御部１８は、リモコン信号Ｓ２に応じて選択したメイン番組が購入時間を過ぎているか否かを判定する。ここで購入時間とは、ユーザがメイン番組を購入する際の価値判断の基準となる時間であり、例えばユーザがメイン番組を選択したときに既にそのメイン番組が放送開始から所定時間以上を経過しているときには購入しても視聴する時間が殆ど残されていないので購入価値がないと判断し、所定時間以上を経過していないときには視聴する時間が十分に残されているので購入価値があると判断するようになされている。
【００２８】
従ってステップＳＰ２で肯定結果が得られると、このことは既にメイン番組の購入時間が所定時間以上を経過していてユーザにとって購入する価値がないことを表しており、このとき制御部１８はそのメイン番組を購入することは出来ないと判断し、ステップＳＰ１０へ移ってサブコンテンツの番組購入処理を終了する。
【００２９】
これに対してステップＳＰ２で否定結果が得られると、このことは選択したメイン番組の購入時間が所定時間以上を経過していないか、もしくは未だメイン番組の放送が開始されておらず、十分視聴する時間が残されていることを表しており、このとき制御部１８は次のステップＳＰ３へ移る。
【００３０】
ステップＳＰ３において制御部１８は、図４に示すように当該選択したメイン番組を購入するための購入手続案内画面３０を生成してモニタ装置７に表示し、次のステップＳＰ４へ移る。
【００３１】
この購入手続案内画面３０には、例えばタイトル表示欄３１に「128ch  漫画・日本おとぎばなし」のタイトル、日時表示欄３２に「月日及び放送時間」、「年齢制限」及び「課金金額」、といった番組情報だけでなく、例えばメッセージ表示欄３３に「購入時の注意書き及び操作方法」及び「購入手続き」ボタン３４といった視聴者が番組を購入する際の案内情報等が表示されており、制御部１８は「購入手続き」ボタン３４がユーザによって押下されたことを検出した場合に当該メイン番組（「漫画・日本おとぎばなし」）の購入処理を実行するようになされている。
【００３２】
ステップＳＰ４において制御部１８は、購入手続案内画面３０の「購入手続き」ボタン３４が押下されたか否かを判定し、否定結果が得られるとステップＳＰ４で「購入手続き」ボタン３４が押下されるまでの待ち受け、肯定結果が得られると次のステップＳＰ５へ移る。
【００３３】
ステップＳＰ５において制御部１８は、デマルチプレクサ１２で分割することにより得たＴＳパケットのＰＭＴ(Program Map Table)を参照することにより、購入するメイン番組（「漫画・日本おとぎばなし」）に対して有料の映像や音声がサブコンテンツとして付加されているか否かを判定すると共に、その映像と音声の関連関係を認識する。なおＰＭＴには、これらの情報以外にもデスクランブルに必要なＥＣＭ＿ＰＩＤ(Error Correction Mode_Program ID)、コピー制限情報及び視聴年齢制限情報等が含まれている。
【００３４】
ここで否定結果が得られると、このことはユーザが購入するメイン番組に対して有料の映像や音声がサブコンテンツとして付加されていないことを表しており、このとき制御部１８は次のステップＳＰ７へ移る。
【００３５】
これに対してステップＳＰ５で肯定結果が得られると、このことはユーザが購入するメイン番組に対して有料の映像や音声がサブコンテンツとして付加されていることを表しており、このとき制御部１８は次のステップＳＰ６へ移る。
【００３６】
ステップＳＰ６において制御部１８は、図５に示すように番組表表示プログラムに従って有料ＥＳ選択画面４０を生成し、購入手続案内画面３０に代えて当該有料ＥＳ選択画面４０をモニタ装置７に表示し、次のステップＳＰ７へ移る。
【００３７】
この有料ＥＳ選択画面４０には、例えば購入手続案内画面３０（図４）と同様にタイトル表示欄４１に「128ch  漫画・日本おとぎばなし」のタイトル、日時表示欄４２に「月日及び放送時間」、「年齢制限」及び「課金金額」等、ユーザが番組を購入するのに必要な種々の項目が表示されている。
【００３８】
また有料ＥＳ選択画面４０の有料ＥＳ選択欄４３には、購入するメイン番組（映像１及び音声１）の項目に対して有料で付加することが可能な複数種類のサブコンテンツを示す映像選択項目（例えば「映像２」〜「映像４」）や、複数種類のサブコンテンツを示す音声選択項目（例えば「音声２」〜「音声４」）が提示されており、ユーザはこの中から任意の映像選択項目や音声選択項目を選択して購入することができるようになされている。
【００３９】
なお、この場合、制御部１８は「映像１」及び「音声１」が購入するメイン番組であるため、既に選択済みアイコン６０、６１を付加して表示している。
【００４０】
この有料ＥＳ選択画面４０を参照しているユーザは、メイン番組である「映像１」及び「音声１」に対して有料で付加することが可能なサブコンテンツの映像選択項目（「映像２」〜「映像４」）及び音声選択項目（「音声２」〜「音声４」）のうちいずれか又は全部を任意に選択することができる。
【００４１】
ここで制御部１８は、例えば「映像２」の映像選択項目と、「音声２」及び「音声３」の音声選択項目とが一体となった組み合わせでのみサブコンテンツとして購入することが可能であって、それぞれを単体で購入することはできないことを○Aで示す関連関係アイコン６１によって明示するようになされている。
【００４２】
同様に制御部１８は、「映像４」の映像選択項目及び「音声４」の音声選択項目が一体となった組み合わせでのみサブコンテンツとして購入することが可能であって、それぞれを単体で購入することはできないことを○Bで示す関連関係アイコン６２によって明示している。
【００４３】
さらに制御部１８は、「映像３」の映像選択項目が他との組み合わせはなくそれ単体でのみサブコンテンツとして購入することが可能であり、「映像３」の映像選択項目のみに対して○Cで示す関連関係アイコン６３を付加することにより、当該「映像３」の映像選択項目には他に関連関係のある選択項目が存在しないことを明示している。
【００４４】
なお制御部１８は、関連関係のある選択項目が存在しない場合には、関連関係アイコン６３に代えて何らアイコンを表示しないようにしても良い。この場合、ユーザは何らアイコンが表示されていないことで、「映像３」の映像選択項目には関連関係のある選択項目が存在しないことを直感的に認識することもできる。
【００４５】
このように制御部１８は、有料ＥＳ選択欄４３に表示された有料の「映像２」〜「映像４」の映像選択項目と「音声２」〜「音声４」の音声選択項目について関連関係アイコン６１〜６３を介して購入可能なサブコンテンツとしての組み合わせを明示しているので、ユーザに対してその組み合わせを認識させた上でサブコンテンツの購入動作を実行させ得るようになされている。
【００４６】
因みに、例えば「映像２」の映像選択項目が選択されると、「映像２」の映像選択項目に対して選択済みアイコン６５が付加されるようになされているが、「音声２」及び「音声３」の音声選択項目については「映像２」の映像選択項目と同じ関連関係アイコン６１が付されているので、「音声２」及び「音声３」の音声選択項目については選択済みアイコン６５が付加されることはない。
【００４７】
また、「映像３」の映像選択項目につては既に選択されて購入することが確定されており、関連関係アイコン６３の隣に済みアイコン６８が付加されている。
【００４８】
なお、有料ＥＳ選択画面４０の有料ＥＳ選択欄４３には、料金表示欄４７に選択済みの「映像２」の映像選択項目、「音声２」及び「音声３」の音声選択項目に対して課される料金（この場合、「２００円」）が表示されると共に、その「映像２」の映像選択項目、「音声２」及び「音声３」の音声選択項目を購入することを確定するための「確定」ボタン４５と、それをキャンセルする「中止」ボタン４６が表示され、さらに追加信号合計額表示欄４８に追加分（「映像３」の映像選択項目に加えて「映像２」の映像選択項目を追加した分の合計額（この場合「５００円」）が表示される。
【００４９】
なお有料ＥＳ選択画面４０には、「戻る」ボタン４９と「決定」ボタン５０が表示されており、「戻る」ボタン４９の押下操作に応じて一つ前の購入手続案内画面３０に戻り、「決定」ボタン５０の押下操作に応じて次の購入決定画面８０（図７）へ進むようになされている。
【００５０】
ステップＳＰ７において制御部１８は、有料の「映像２」〜「映像４」の映像選択項目や「音声２」〜「音声４」の音声選択項目のいずれかが選択された状態で「確定」ボタン４５が押下操作されたか否かを判定し、否定結果が得られると「確定」ボタン４５が押下操作されるまで待ち受ける。
【００５１】
これに対してステップＳＰ７で肯定結果が得られると、このことは有料の「映像２」〜「映像４」の映像選択項目や「音声２」〜「音声４」の音声選択項目のいずれかを購入するために「確定」ボタン４５が押下操作されたことを表しており、このとき制御部１８は例えば図６に示すように「映像２」の映像選択項目、「音声３」及び「音声４」の音声選択項目に対して選択済みであることを示す選択済みアイコン７１をそれぞれ付加した後、「決定」ボタン５０の押下操作に応じて次のステップＳＰ８へ移る。
【００５２】
ステップＳＰ８において制御部１８は、購入すべき「映像２」の映像選択項目及び「音声２」及び「音声３」の音声選択項目が決定したので、図７に示すように購入決定画面８０を生成し、これを有料ＥＳ選択画面４０に代えて表示し、次のステップＳＰ９へ移る。
【００５３】
購入決定画面８０においても、購入手続案内画面３０（図４）と同様にタイトル表示欄８１に「128ch  漫画・日本おとぎばなし」のタイトル、日時表示欄８２に「月日及び放送時間」、「年齢制限」及び「課金金額」が表示されている。
【００５４】
また購入決定画面８０の購入金額表示欄８３には、メイン番組である「128ch  漫画・日本おとぎばなし」の「映像１」及び「音声１」の選択項目に対する課金金額「４００円」と、サブコンテンツとして有料で付加される「映像２」及び「映像３」の追加信号合計額「５００円」とを加算した合計額の「９００円」が合計額表示欄８８に表示されている。
【００５５】
さらに購入決定画面８０の購入金額表示欄８３には、「購入する」ボタン８４と「取消」ボタン８５が表示され、制御部１８はその金額で「購入する」ボタン８４が押下操作されたことを確認すると課金処理を実行し、「取消」ボタン８５が押下操作されたことを確認すると課金処理を実行することなく購入処理を取消す。
【００５６】
なお制御部１８は、「戻る」ボタン８６が押下操作されると一つ前の有料ＥＳ選択画面４０（図５又は図６）に戻り、「決定」ボタン８７が押下操作されると次のステップＳＰ１０へ移ってサブコンテンツの番組購入処理手順を全て終了する。
【００５７】
なお制御部１８は、図８に示す画面遷移のシーケンスに従って購入手続案内画面３０、有料ＥＳ選択画面４０及び購入決定画面８０の間を遷移するようになされている。
【００５８】
（４）動作及び効果
以上の構成において、ＩＲＤ５の制御部１８は有料ＥＳ選択画面４０の有料ＥＳ選択欄４３に複数種類のサブコンテンツを示す映像選択項目（例えば「映像２」〜「映像４」）や、複数種類のサブコンテンツを示す音声選択項目（例えば「音声２」〜「音声４」）を表示すると共に、例えば「映像２」の映像選択項目と、「音声２」及び「音声３」の音声選択項目とが一体となった組み合わせでのみサブコンテンツとして購入することが可能であることを認識し、それぞれ「映像２」の映像選択項目、「音声２」及び「音声３」の音声選択項目に対して同一の関連関係アイコン６１を付加する。
【００５９】
また制御部１８は、「映像４」の映像選択項目及び「音声４」の音声選択項目についても一体となった組み合わせでのみサブコンテンツとして購入することが可能であることを認識し、それぞれの「映像４」の映像選択項目及び「音声４」の音声選択項目に対して同一の関連関係アイコン６２を付加する。
【００６０】
さらに制御部１８は、「映像３」の映像選択項目については他との組み合わせはなくそれ単体でのみサブコンテンツとして購入することが可能であることを認識し、「映像３」の映像選択項目のみに対して関連関係アイコン６３を付加する。
【００６１】
このように制御部１８は、サブコンテンツとして提供することが可能な組み合わせを示す関連関係アイコン６１、６２、６３を映像選択項目や音声選択項目に対してそれぞれ付加することにより、映像選択項目と音声選択項目とが一体として組み合わされたサブコンテンツでのみ購入することが可能であることを当該関連関係アイコン６１、６２、６３を介して視覚的かつ直感的にユーザに認識させることができる。
【００６２】
これによりユーザは、関連関係アイコン６１、６２、６３を介してサブコンテンツの組み合わせを十分に認識したうえでサブコンテンツの購入動作を実行することができ、ユーザが意図していない不適当な購入動作を確実に防止し得ると共に、適切な購入動作を実行させることができる。
【００６３】
また制御部１８は、有料ＥＳ選択欄４３の料金表示欄４７を介してサブコンテンツの料金を表示したり、追加信号合計額表示欄４８に追加した分の合計額を表示することにより、サブコンテンツの種類と購入金額との両方から当該サブコンテンツを選択決定する際の判断資料として当該料金表示欄４７の料金及び追加信号合計額表示欄４８の合計額をユーザに提供することができる。
【００６４】
以上の構成によれば、ＩＲＤ５の制御部１８は有料ＥＳ選択画面４０の有料ＥＳ選択欄４３に複数種類の映像選択項目（「映像２」〜「映像４」）や、複数種類の音声選択項目（「音声２」〜「音声４」）を表示する際、関連関係アイコン６１、６２、６３を介して購入対象であるサブコンテンツの組み合わせを明示することにより、ユーザに対して適切な購入動作を実行させることができる。
【００６５】
（５）他の実施の形態
なお上述の実施の形態においては、関連関係アイコン６１、６２、６３を○Ａ、○Ｂ、○Ｃのアイコンで示すようにした場合について述べたが、本発明はこれに限らず、他の種々の形状や模様等でなるアイコンで示すようにしても良い。
【００６６】
また上述の実施の形態においては、有料ＥＳ選択欄４３にサブコンテンツとして「映像２」〜「映像４」の映像選択項目及び「音声２」〜「音声４」の音声選択項目の名称を番号で表示するようにした場合について述べたが、本発明はこれに限らず、具体的に例えばメイン番組が野球中継であれば「外野からの映像」〜「バックネットからの映像」の名称等でなる映像選択項目や、「英語音声」〜「中国語音声」の名称等でなる音声選択項目を表示するようにしても良い。
【００６７】
さらに上述の実施の形態においては、「映像２」と「音声２」及び「音声３」とが一体になった組み合わせで、「映像４」と「音声４」とが一体になった組み合わせである場合について述べたが、本発明はこれに限らず、その組み合わせはコンテンツ提供源２の任意であって「映像２」と「音声２」、「音声３」及び「音声４」とが一体になった組み合わせであったり、「映像４」と「音声２」及び「音声３」とが一体になった組み合わせである場合等の他の種々の組み合わせであっても良い。
【００６８】
さらに上述の実施の形態においては、衛星放送番組を受信するＩＲＤ５に本発明を適用するようにした場合について述べたが、本発明はこれに限らず、地上波テレビジョン放送や地上波ディジタルテレビジョン放送を受信する受信装置に適用するようにしてもよく、さらに「あるひとつの番組に、複数種類の音声データや映像データが付加されており、ユーザの好みに応じて購入できるような形態のもの」であれば、配信形態に依存しないので、インターネット配信等の受信する受信装置に適用するようにしても良い。
【００６９】
さらに上述の実施の形態においては、表示手段としての制御部１８及びモニタ装置１７と、アイコン付加手段としての制御部１８とによって本発明の番組表表示装置としてのＩＲＤ５を構成するようにした場合について述べたが、本発明はこれに限らず、その他の種々の回路構成でなる表示手段及びアイコン付加手段によって本発明の番組表表示装置を構成するようにしても良い。
【産業上の利用可能性】
【００７０】
本発明の番組表表示装置は、例えば衛星放送番組に有料で付加される複数種類のサブコンテンツの組み合わせをユーザに対して容易に認識させ得る用途に適用することができる。
【図面の簡単な説明】
【００７１】
【図１】衛星放送受信システムの全体構成を示す略線的概念図である。
【図２】本発明を適用したＩＲＤの回路構成を示す略線的ブロック図である。
【図３】サブコンテンツの番組購入処理手順を示すフローチャートである。
【図４】購入手続案内画面を示す略線図である。
【図５】有料ＥＳ選択画面（１）を示す略線図である。
【図６】有料ＥＳ選択画面（２）を示す略線図である。
【図７】購入決定画面を示す略線図である。
【図８】画面遷移の説明に供する略線図である。
【符号の説明】
【００７２】
１……衛星放送受信システム、２……コンテンツ供給源、３……人口衛星、４……パラボラアンテナ、５……ＩＲＤ、６……リモコン、７……モニタ装置、１１……フロントエンド部、１２……デマルチプレクサ、１３……ＭＰＥＧ２ビデオデコーダ、１４……ＭＰＥＧオーディオデコーダ、１５……ＮＴＳＣ変換部、１６……Ｄ／Ａ変換器、１８……制御部、１９……リモコン受光部、３０……番組手続案内画面、４０……有料ＥＳ選択画面、８０……購入決定画面。
【図１】
2005072899.tif 000003
【図２】
2005072899.tif 000004
【図３】
2005072899.tif 000005
【図４】
2005072899.tif 000006
【図５】
2005072899.tif 000007
【図６】
2005072899.tif 000008
【図７】
2005072899.tif 000009
【図８】
2005072899.tif 000010